(57)【要約】【課題】キャップ外観部に転写フィルム加工、蒸着又は塗装を実施したキャップを装着、離脱したキャップでも常温及び5℃の環境でキャップが割れない筆記具を提供する。【解決手段】塗布具本体と、前記本体の中軸に着脱可能に嵌合するキャップとよりなる塗布具であって、前記キャップが前記中軸に嵌合される際、キャップ内面のキャップ嵌合リブが、前記中軸の外周の中軸嵌合リブに弾力的に当接しつつ摺動し、前記嵌合リブを乗り越えて係合することにより、前記キャップが前記中軸に嵌合した状態が保持されるキャップ付の塗布具において、前記キャップ嵌合リブが円弧状のリブで形成されており、前記中軸嵌合リブが円周のリブで形成されており、前記キャップの着脱時に、前記キャップ嵌合リブの円弧形状端部が前記中軸嵌合リブの端部に円弧状に当接しつつ摺動し、前記嵌合リブを乗越えてキャップの着脱をする塗布具。【選択図】  図１
2019201806.tif 000002
【特許請求の範囲】
【請求項１】
塗布具本体と、前記塗布具本体に着脱可能に嵌合するキャップとよりなる塗布具であって、
前記キャップが前記塗布具本体に嵌合される際、キャップ内面のキャップ嵌合リブが、前記塗布具本体の外周の中軸嵌合リブに当接しつつ摺動し、前記中軸嵌合リブを乗り越えて嵌合することにより、前記キャップが前記塗布具本体に嵌合した状態が保持されるキャップ付の塗布具において、
前記キャップ嵌合リブが円弧状のリブで形成されており、
前記中軸嵌合リブが円周のリブで形成されている塗布具。
【請求項２】
前記キャップが、底部に弾性部材と該弾性部材に付勢されたインナーキャップを内部に設けたキャップである請求項１記載の塗布具。
【請求項３】
前記キャップが、キャップの外観部に転写フィルム加工、蒸着又は塗装を実施したキャップである請求項１乃至２記載の塗布具。
【発明の詳細な説明】
【技術分野】
【０００１】
本発明は、アイライナー、アイブロー等のキャップを有する化粧料の塗布具に係わり、キャップの嵌合が良好に行なわれる塗布具に関する。
【背景技術】
【０００２】
従来、アイライナー等の塗布具において、樹脂成形等よりなるキャップを軸に係止させる技術として、図５〜図９に示す如く、キャップ内に複数個のアンダーカットになったリブを設け、キャップが所定位置まで嵌め込まれる際、このリブが軸の外周に設けた円周の嵌合リブを乗り越えて係合することでキャップの嵌合状態が保持される構造が知られている。
【０００３】
ここで、アンダーカットとは、成形後の型抜き方向に平行なキャップの基本成形面（この場合内周面）よりも内側（成形型側）に張り出すことをいう。なお、合成樹脂のように弾性を有する材料であれば、若干のアンダーカットがあっても、割型等にすることなく成形品の変形により型抜きは可能である。
【０００４】
又、キャップ内に形成されたアンダーカットになったリブの形状は、図１１に示すように、リブの端部が直線で形成されている。
【０００５】
キャップ側の嵌合リブの形状が直線である理由は、従来は樹脂材料に直接着色剤を入れる手法であったため、蒸着や塗装の事まで考慮されていなかった事もあるが、従来技術のワイヤー放電加工で加工できることから、金型の加工がしやすいことが理由にあげられる。
【０００６】
又、図５に示すように、塗布具が直液式の容器の場合には、塗布具本体内にアジャスタ（ジャバラ）等が装着され容器内圧を調整しており、キャップには、塗布部の乾燥を防止するためのキャップの密閉を高めるため、キャップ内にインナーキャップとスプリングを設けたものがある。
【０００７】
この場合、図９に示すように、
（１）キャップを装着する前、インナーキャップは中軸に当接していない。
（２）キャップ装着途中で、インナーキャップと中軸が当たり始める。この時、キャップはまだ完全に装着されていない。
（３）キャップ嵌合リブが中軸の本体側嵌合リブを乗り越えて完全に装着された時、スプリングは密閉できる力を完全に発揮する。
即ち、キャップが装着されている間はスプリングは常にインナーキャップを押しており、インナーキャップはその力量を中軸の密閉部に伝えている。よって、インナーキャップを有する直液式の塗布具容器の場合はとりわけ、スプリングの力量を考慮したキャップの抜き嵌合値の設計が必要になる。
【０００８】
例えば、キャップの抜き嵌合値がスプリングの力より小さければ、キャップは外れてしまい、ペン先は乾燥する為、キャップは密閉の機能を果たす事は出来なくなる。よって、インナーキャップとスプリングが装着された直液式容器においてはスプリングの力を考慮した上で、安定した品質を保持する為にある程度強いキャップ嵌合力が必要になる。通常、例えば、スプリング3.9Nに対してキャップ嵌合値は6〜25Nの規格に設定してある。
【先行技術文献】
【特許文献】
【０００９】
【特許文献１】実開平５−６５５８３号公報
【００１０】
キャップは、本体に対する凹凸嵌合用の突部よりも開口側に、本体の後部に対する圧入嵌合用のリブを有し、また、本体は、後端突出させてなる尾栓をキャップの突部に対する当接部とする筆記具であり、キャップと筆記具本体との嵌合に際して、キャップが破損することを防止できるものである。
【００１１】
【特許文献２】実開平６−５７６８５号公報キャップ２０内面に形成された係合リブ２１が軸１０の外周に形成された段部１３に弾力的に当接して係合することにより、キャップ２０が軸１０に嵌合した状態が保持されるキャップ付の筆記具において、係合リブ２１の係合によりキャップ２０に過大な応力が生じず、またキャップ２０表面に変形が生じないようにするものであり、係合リブ２１を、キャップ２０内面から該内面に沿って伸びて可撓性を有するよう薄肉に設けられた可撓片２２の先端に形成し、可撓片２２とキャップ２０内面との間には、係合リブ２１が段部１３に係合する際の可撓片２２の変位を許す隙間２３を形成するものである。
【発明の概要】
【発明が解決しようとする課題】
【００１２】
本発明の課題は次のような従来技術の問題点を解決することである。即ち、樹脂材料に直接着色剤を混ぜて成形したキャップにおいては何の問題も無かったが、容器外観部に塗装や蒸着を実施したキャップにおいて、常温及び5℃の環境でキャップ嵌合時にキャップ自体が割れてしまうという問題が発生していた。
【００１３】
この理由は、図１０に示すように、キャップ装着時及び離脱時にキャップは嵌合代（リブ乗り上げ代）分広がるが、蒸着や塗装をしたキャップは外観部に塗料及びアルミの膜厚が形成されている為、その膜はある程度硬い事から、装着及び離脱時において、力の逃げ場が無く、塗料及びアルミの膜厚が剥がれたり、ひどい場合にはキャップが割れてしまうためである。
【００１４】
このように、従来製品の問題点は、キャップの外観部に転写フィルム加工、蒸着又は塗装を実施したキャップを装着、離脱した時に常温及び5℃の環境でキャップが割れたり、塗料及びアルミの膜厚が剥がれたりする不具合が生じていた。
【００１５】
よって、本発明の課題は、キャップ外観部に転写フィルム加工、蒸着又は塗装を実施したキャップを装着、離脱したキャップでも常温及び5℃の環境で頻繁な着脱でもキャップが割れない優れた塗布具を提供することである。
【課題を解決するための手段】
【００１６】
本発明は、このような従来の技術が有する問題点に着目してなされたもので、キャップのクラック(キャップ割れ)が生じ難い塗布具を提供することを目的としている。本発明は従来の問題を解決するため、
【００１７】
(1)塗布具本体と、前記塗布具本体に着脱可能に嵌合するキャップとよりなる塗布具であって、前記キャップが前記塗布具本体に嵌合される際、キャップ内面のキャップ嵌合リブが、前記塗布具本体の外周の中軸嵌合リブに当接しつつ摺動し、前記中軸嵌合リブを乗り越えて嵌合することにより、前記キャップが前記塗布具本体に嵌合した状態が保持されるキャップ付の塗布具において、前記キャップ嵌合リブが円弧状のリブで形成されており、前記中軸嵌合リブが円周のリブで形成されている塗布具を提供する。
(2)前記キャップが、底部に弾性部材と該弾性部材に付勢されたインナーキャップを内部に設けたキャップである前記(1)に記載の塗布具を提供する。
(3)前記キャップが、キャップの外観部に転写フィルム加工、蒸着又は塗装を実施したキャップである前記(1)又は(2)に記載の塗布具を提供する。
【００１８】
(2)前記キャップが、底部に弾性部材と該弾性部材に付勢されたインナーキャップを内部に設けたキャップである請求項１記載の塗布具を提供する。
【００１９】
(3)前記キャップが、キャップの外観部に転写フィルム加工、蒸着又は塗装を実施したキャップである請求項１乃至２記載の塗布具を提供する。
【発明の効果】
【００２０】
本発明の塗布具によれば、キャップの嵌合の際にキャップ嵌合リブ２１が中軸嵌合リブ１３を乗越えるためにキャップは嵌合代分（リブ乗り上げ代分）、変位する。本発明の塗布具においては、図１、図２等に示すようにキャップ嵌合リブが円弧状の円弧形状端部を形成しているため、従来の直線状端部(図７)と比較して、キャップの変位(広がり量)は小さくなる(図１３、図１４、図１５)。
【００２１】
このため、キャップ２０にかかる応力が分散され、しかも嵌合代（リブ乗り上げ代）が小さいため、キャップ２０の外表面の変形もわずかである。したがって、キャップ２０を５℃の寒冷な環境下で脱着しても、キャップ２０は頻繁な脱着に耐えてクラック(キャップ割れ)等が生じないとともに、キャップ２０の表面の転写フィルム、塗装又は蒸着等が剥離することもない。
【００２２】
従って、本発明の塗布具によれば、キャップの嵌合によりキャップの広がり量を小さくでき且つキャップにかかる応力を分散でき(図１５)、キャップは頻繁な脱着に耐えてクラック(キャップ割れ)等が生じないとともに、キャップの表面の転写フィルム、塗料又は蒸着等が剥離することもない。したがって、塗布具のコスト低減が可能となるとともに、塗布具の美観を長期間良好に維持できる。
【００２３】
又、キャップ内にインナーキャップを備えたタイプの本発明の塗布具においては、キャップ２０が中軸１１の当接段部１２に当るまではめ込まれたときに、図９に示すように、インナーキャップ２２はスプリング２３によりその一端を中軸１１に当接してペン先を密閉すると同時に、キャップ２０はスプリング２３により離脱方向に強い力がかかり、キャップ嵌合力が小さいとキャップが脱離してしまうが、本発明の塗布具では 十分な嵌合力を発揮できるため、キャップが容易に離脱することはない。
【００２４】
この結果、キャップ嵌合値について、キャップ嵌合代を低くすれば、キャップ嵌合値が小さくなりキャップの機能を果たせなくなる事があるが、キャップの嵌合リブの形状を円弧状にする事により、中軸嵌合リブと係止する面積を大きくすることができ(図１５)、規格値内のキャップ嵌合値を実現することが可能となった。
【００２５】
即ち、従来の直線状のキャップ嵌合リブよりも本発明のキャップ嵌合リブ２１は、インナーキャップとスプリングが装着された直液式容器では特に好適に適用できる。
【００２６】
又、前記キャップの外観部に転写フィルム加工、蒸着又は塗装を実施したキャップである本発明の塗布具においては、外観部に塗料及びアルミニウムの膜厚が形成されている為、その膜はある程度硬い事から、装着及び離脱時において、力の逃げ場が無く、塗料及びアルミの膜厚が剥がれたり、キャップが割れてしまうことがあるが、本発明の塗布具においては嵌合代（リブ乗り上げ代）が小さいため、キャップ２０の外表面の変形もわずかである。したがって、キャップ２０を５℃の寒冷な環境下で脱着しても、キャップ２０は頻繁な脱着に耐えてクラック等が生じないとともに、キャップ２０の表面の転写フィルム、塗装又は蒸着等が剥離することがない。
【図面の簡単な説明】
【００２７】
【図１】本発明の一実施例の部品であるキャップを示す図面
【図２】本発明の一実施例の部品であるキャップと中軸との嵌合状態を示す図面
【図３】本発明の一実施例であるキャップを外した直液式の塗布具の図面
【図４】本発明の一実施例であるキャップ嵌合リブが中軸嵌合リブを乗り越える状態を示す図面
【図５】従来技術の塗布具の断面形状を説明する図面
【図６】従来技術の塗布具のキャップを外した直液式の塗布具の図面
【図７】従来技術の塗布具のキャップの図面
【図８】従来技術の塗布具の部品構成を示す図面
【図９】従来技術の塗布具のキャップの装着動作を説明する図面
【図１０】従来技術の塗布具のキャップは嵌合代分、広がることを示す図面
【図１１】従来技術の塗布具のキャップ嵌合リブが中軸の嵌合リブを乗り越えるときの応力を説明する図面
【図１２】従来キャップと本発明の一実施例のキャップの動作を説明する図面
【図１３】従来キャップと本発明の一実施例のキャップの嵌合代を比較した図面
【図１４】従来キャップと本発明の一実施例のキャップの外径の広がりを比較した図面
【図１５】従来キャップと本発明の一実施例のキャップの応力の掛かり方を比較した図面
【図１６】本発明の部品であるキャップの別の実施例を示す図面
【発明を実施するための形態】
【００２８】
以下、図面に基づき本発明の実施例を説明する。 本発明はこれらの実施例に限定されない。
【００２９】
本実施例の塗布具は、図１〜図４に示すように、塗布具本体１０の中軸１１と着脱可能に嵌合するキャップ２０とからなる。塗布具本体１０は、図３に示すように、先端側がキャップ２０と嵌合する細くなった中軸１１を有し、この中軸１１の基端にキャップ２０の端面が当接する軸方向に直角な当接段部１２を有するとともに、中軸１１の外周であって当接段部１２に近接する位置に中軸嵌合リブ１３を有する。中軸嵌合リブ１３は、中軸１１の周方向に全周にわたって環状に形成された形状となっている。キャップ２０は、図１２に示すように動作し、塗布具本体１０の中軸１１に嵌合することによりキャップ２０の着脱が行われる。
【００３０】
図１３〜図１６に示すように、キャップ２０は、前記中軸１１に僅かな隙間で嵌合する有底筒状の形状とされたもので、図１、図２、図４に示す如く開口側端部内面にアンダーカットとなったキャップ嵌合リブ２１を周方向の４か所に有するものである。本発明の実施例ではキャップ嵌合リブ２１は４個設けられているが、これに限定されず適宜の個数設けることができる。
【００３１】
図４に示すように、キャップ嵌合リブ２１は、キャップ２０が塗布具本体１０の当接段部１２に当接するまではめ込まれたときに、中軸嵌合リブ１３を乗越える位置に設けられている。
【００３２】
キャップ嵌合リブ２１の形状は、図４に示すように軸方向断面(Ｅ−Ｅ’)の形状がなだらかな角のない凸状をしており、又、軸の垂直方向断面(Ｆ−Ｆ’)の形状が、塗布具の中心軸を中心とする円弧で囲まれた扇の細長い扇面のような円弧状である。従って、図１に示すように端部は断面(Ｆ−Ｆ’)の形状が円弧状に形成されている。
【００３３】
ここで、円弧状とは、図１及び図２に示すように、キャップ嵌合リブ２１を輪切りにした時にその断面（Ｆ-Ｆ’）の形状が塗布具の中心軸を中心とする円弧で囲まれた扇の細長い扇面のような形状を意味する。又、軸方向断面(Ｅ−Ｅ’)の形状はなだらかな角のない凸状をしており、中軸嵌合リブ１３と嵌合できる形状となっている。
【００３４】
キャップ嵌合リブ２１はキャップ２０と一体に樹脂成型して形成することができる。これには銅電極の放電による高精度な金型加工技術を用いて高精度の金型加工により形成することができる。
【００３５】
キャップ２０やキャップ嵌合リブ２１の材質は通常のキャップ２０に使用される材料で特に限定されないが、好ましくはポリプロピレン等の合成樹脂が用いられる。
【００３６】
キャップ２０の表面は装飾的理由から、キャップ２０の成型材料に直接着色剤を含有させて成型したり、キャップ表面を蒸着や塗装により、アルミニウム膜や塗装膜でコートされていても良い。キャップの表面にアルミニウム膜や塗装膜でコートされるとキャップ割れし易いが、特に本発明の塗布具においては、キャップにかかる応力が分散されるので、アルミニウム膜や塗装膜でコートされている場合にも特に好適に使用することができる。
【００３７】
本発明の塗布具本体１０の中軸１１の外周には、図３に示すように中軸嵌合リブ１３が円周のリブで形成されている。
【００３８】
そして、図２に示すように、中軸嵌合リブ１３の外周の円と、キャップ嵌合リブ２１の内周の円弧とは、同心に形成されている。もし、同心から大きくずれているような場合には、キャップ２０の着脱が良好に行われず、キャップ割れの原因にもなる。
【００３９】
以上のキャップ嵌合リブ２１によって、本発明の塗布具では、図２、図３に示すように、キャップ２０の着脱時に、前記円弧状のキャップ嵌合リブ２１が前記中軸嵌合リブ１３にキャップ嵌合リブ２１の円弧形状端部を周方向全長で当接しつつ摺動し、前記中軸嵌合リブ１３を乗越えてキャップ２０の着脱をする。
【００４０】
本発明の塗布具では、前記の円弧状のキャップ嵌合リブ２１をキャップ２０側に設けたので、キャップ２０装着時及びキャップ２０離脱時において、図１４に示すように、キャップ２０の広がり量が従来技術の0.36ｍｍであったのに対して、 本発明では 0.21ｍｍに抑える事ができる。
【００４１】
又、図１５に示すようにキャップ２０装着時及びキャップ２０離脱時のキャップ２０に掛かる応力についても分散できる。
【００４２】
更に、従来の塗布具ではキャップ嵌合代を低くすれば、キャップ嵌合値が低くなりキャップの機能を果たせなくなるのであるが、本発明の塗布具では、図１５に示すように、キャップ嵌合リブ２１の形状を円弧状にする事により、塗布具本体１０の中軸嵌合リブ１３をホールドする範囲を広く取ることができるので規格値(６〜２５Ｎ)内の大きなキャップ嵌合値を実現できる。本発明の実施例ではキャップ嵌合値はプッシュプルゲージを用いて測定した。
【００４３】
又、塗布具のキャップ２０が、キャップ２０の内部にインナーキャップ２２、スプリング２３を装着した直液式の塗布具である場合には、図９に示すように、インナーキャップ２２はスプリング２３によりその一端を中軸１１に当接してペン先を密閉すると同時に、キャップ２０はスプリング２３により離脱方向に力がかかるが、キャップ嵌合リブ２１が中軸嵌合リブ１３と嵌合してキャップ２０の離脱を防いでいる。
【００４４】
よって、インナーキャップ２２とスプリング２３が装着された直液式容器においてはスプリング２３の力を考慮した上で、ある程度強いキャップ嵌合力が必要になる（スプリング 3.9N に対してキャップ嵌合値は 6〜25N の規格に設定される）。
【００４５】
従って、従来の直線状のリブよりも本発明のキャップ嵌合リブ２１は大きなキャップ嵌合値を実現できるので、インナーキャップ２２とスプリング２３が装着された直液式容器では特に好適に適用できる。本実施例ではスプリング２３が使用されたが、インナーキャップ２２を付勢する部材であればこれに限定されるものではなく、他の弾性部材も使用できる。
【００４６】
以下に、本発明の塗布具の試験結果を従来技術の塗布具と比較して記載する。用いた塗布具は図１３、図１４及び図１５に記載のキャップ嵌合代及びキャップ広がり量を示す本発明及び従来技術の塗布具である。即ち、
本発明の塗布具は、キャップ嵌合リブ２１が円弧状である（キャップ２０の嵌合代０．１０５ｍｍ、キャップ２０の広がり量０．２１ｍｍ）。
従来技術の塗布具は、キャップ嵌合リブが直線状である（キャップ２０の嵌合代０．１８０ｍｍ、キャップ２０の広がり量０．３６ｍｍ）。
【００４７】
まず常温26℃の環境下で、蒸着及び塗装を実施したキャップ２０を中軸１１に５回離脱、装着を繰り返し、キャップに割れが発生するか否かを確認した。その結果を実施例１、２として次に記載する。
【実施例１】
【００４８】
（テスト条件）
塗装（膜厚15〜21μｍ）を実施したキャップ２０に、中軸にキャップ２０を装着した状態から、５回離脱、装着を繰り返しキャップ割れが発生するか確認した。常温26℃の環境下実施した。
（テスト結果）
従来技術の塗布具  20本中、3本割れ発生
本発明の塗布具    20本中、割れ無し
【実施例２】
【００４９】
（テスト条件）
蒸着（膜厚20〜24μｍ）を実施したキャップ２０に、中軸１１にキャップ２０を装着した状態から、５回離脱、装着を繰り返しキャップ割れが発生するか確認した。常温26℃の環境下実施した。
（テスト結果）
従来技術の塗布具  20本中、１本割れ発生
本発明の塗布具    20本中、割れ無し
【００５０】
次に、冷蔵庫5℃からすぐに取り出して試験を実施した。他の条件は前記実施例1、２と同じである。その結果を実施例３、４として次に記載する。
【実施例３】
【００５１】
（テスト条件）
塗装（膜厚15〜21μｍ）を実施したキャップ２０に、中軸１１にキャップ２０を装着した状態から、５回離脱、装着を繰り返しキャップ割れが発生するか確認した。冷蔵庫5℃からすぐに取り出して試験実施。
（テスト結果）
従来技術の塗布具  20本中、14本割れ発生
本発明の塗布具    20本中、割れ無し
【実施例４】
【００５２】
（テスト条件）
蒸着（膜厚20〜24μｍ）を実施したキャップに、中軸にキャップを装着した状態から、５回離脱、装着を繰り返しキャップ割れが発生するか確認した。冷蔵庫5℃からすぐに取り出して試験実施。
従来技術の塗布具  20本中、2本割れ発生
本発明の塗布具    20本中、割れ無し
【００５３】
以上、実施例１から４では、常温26℃の環境下又は、冷蔵庫5℃からすぐに取り出して試験実施環境下の両方で本発明の塗布具においてキャップ割れの発生は皆無であった。
【００５４】
又、以下に耐久試験も実施した。その結果を実施例５として記載する。
【実施例５】
【００５５】
本発明の塗布具において、常温26℃の環境下で1000回嵌合を繰り返してもキャップ割れの発生は皆無であった。
又、キャップ嵌合値についても規格内であることを確認し、耐久性の良いキャップ２０の機能を果たす事を実現した。
【００５６】
更に蒸着膜や塗装膜の膜厚が厚いキャップについても５℃の環境下で割れない事を確認した。以下にその試験結果を実施例６として次に記載する。
【実施例６】
【００５７】
（テスト条件）
塗装品（膜厚18〜26μｍ）及び蒸着品（膜厚30〜36μｍ）を実施したキャップ２０に、中軸１１にキャップ２０を装着した状態から、５回離脱、装着を繰り返しキャップ割れが発生するか確認した。冷蔵庫5℃からすぐに取り出して試験を実施した。
（テスト結果）
塗装品（膜厚18〜26μｍ）（本発明）    20本中、割れ無し
蒸着品（膜厚30〜36μｍ）（本発明）    20本中、割れ無し
【００５８】
本発明は、以上に述べた実施例に限定ず、各種の変形があり得ることはいうまでもない。即ち、
【００５９】
中軸嵌合リブ１３は塗布具本体１０の中軸１１の全周に亘って形成されているが、部分的に僅かに欠けていてもキャップ嵌合リブ２１と嵌合しうる限りは本発明の範囲に含まれる。
【００６０】
又、図１６に示すように、キャップ２０、後軸の外観形状、J-J断面図のキャップ２０の断面形状（嵌合リブ形状を含む）、中軸１１の形状（中軸嵌合リブ１３の形状を含む）の全てがどのような形状をしていても、又、また、本発明はK-Kの断面図において、円弧のキャップ嵌合リブ２１の長さ、円弧のキャップ嵌合リブ２１の数は限定されず、本発明の範囲に含まれる。
【符号の説明】
【００６１】
１０  塗布具本体
１１  中軸
１２  当接段部
１３  中軸嵌合リブ
２０  キャップ
２１  キャップ嵌合リブ
２１ａ円弧形状端部
２２  インナーキャップ
２３  スプリング
【図１】
2019201806.tif 000003
【図２】
2019201806.tif 000004
【図３】
2019201806.tif 000005
【図４】
2019201806.tif 000006
【図５】
2019201806.tif 000007
【図６】
2019201806.tif 000008
【図７】
2019201806.tif 000009
【図８】
2019201806.tif 000010
【図９】
2019201806.tif 000011
【図１０】
2019201806.tif 000012
【図１１】
2019201806.tif 000013
【図１２】
2019201806.tif 000014
【図１３】
2019201806.tif 000015
【図１４】
2019201806.tif 000016
【図１５】
2019201806.tif 000017
【図１６】
2019201806.tif 000018
【手続補正書】
【提出日】平成30年12月7日(2018.12.7)
【手続補正１】
【補正対象書類名】特許請求の範囲
【補正対象項目名】全文
【補正方法】変更
【補正の内容】
【特許請求の範囲】
【請求項１】
塗布具本体と、前記塗布具本体に着脱可能に嵌合するキャップとよりなる塗布具であって、
前記キャップが、底部に弾性部材と該弾性部材に付勢されたインナーキャップを内部に設けたキャップであり、
前記キャップが、キャップの外観部に転写フィルム加工、蒸着又は塗装を実施したキャップであり、
前記キャップが前記塗布具本体に嵌合される際、キャップ内面のキャップ嵌合リブが、前記塗布具本体の外周の中軸嵌合リブに当接しつつ摺動し、前記中軸嵌合リブを乗り越えて嵌合することにより、前記キャップが前記塗布具本体に嵌合した状態が保持されるキャップ付の塗布具において、
前記キャップ嵌合リブの形状が、軸方向断面の形状はなだらかな角のない凸状をしており、軸の垂直方向断面の形状は塗布具の中心軸を中心とする円弧で囲まれた扇の細長い扇面のような円弧状であり、
前記中軸嵌合リブが円周のリブで形成されており、
前記中軸嵌合リブの外周の円と前記キャップ嵌合リブの内周の円弧とは同心に形成されている塗布具。
【手続補正２】
【補正対象書類名】明細書
【補正対象項目名】全文
【補正方法】変更
【補正の内容】
【発明の詳細な説明】
【技術分野】
【０００１】
本発明は、アイライナー、アイブロー等のキャップを有する化粧料の塗布具に係わり、キャップの嵌合が良好に行なわれる塗布具に関する。
【背景技術】
【０００２】
従来、アイライナー等の塗布具において、樹脂成形等よりなるキャップを軸に係止させる技術として、図５〜図９に示す如く、キャップ内に複数個のアンダーカットになったリブを設け、キャップが所定位置まで嵌め込まれる際、このリブが軸の外周に設けた円周の嵌合リブを乗り越えて係合することでキャップの嵌合状態が保持される構造が知られている。
【０００３】
ここで、アンダーカットとは、成形後の型抜き方向に平行なキャップの基本成形面（この場合内周面）よりも内側（成形型側）に張り出すことをいう。なお、合成樹脂のように弾性を有する材料であれば、若干のアンダーカットがあっても、割型等にすることなく成形品の変形により型抜きは可能である。
【０００４】
又、キャップ内に形成されたアンダーカットになったリブの形状は、図１１に示すように、リブの端部が直線で形成されている。
【０００５】
キャップ側の嵌合リブの形状が直線である理由は、従来は樹脂材料に直接着色剤を入れる手法であったため、蒸着や塗装の事まで考慮されていなかった事もあるが、従来技術のワイヤー放電加工で加工できることから、金型の加工がしやすいことが理由にあげられる。
【０００６】
又、図５に示すように、塗布具が直液式の容器の場合には、塗布具本体内にアジャスタ（ジャバラ）等が装着され容器内圧を調整しており、キャップには、塗布部の乾燥を防止するためのキャップの密閉を高めるため、キャップ内にインナーキャップとスプリングを設けたものがある。
【０００７】
この場合、図９に示すように、
（１）キャップを装着する前、インナーキャップは中軸に当接していない。
（２）キャップ装着途中で、インナーキャップと中軸が当たり始める。この時、キャップはまだ完全に装着されていない。
（３）キャップ嵌合リブが中軸の本体側嵌合リブを乗り越えて完全に装着された時、スプリングは密閉できる力を完全に発揮する。
即ち、キャップが装着されている間はスプリングは常にインナーキャップを押しており、インナーキャップはその力量を中軸の密閉部に伝えている。よって、インナーキャップを有する直液式の塗布具容器の場合はとりわけ、スプリングの力量を考慮したキャップの抜き嵌合値の設計が必要になる。
【０００８】
例えば、キャップの抜き嵌合値がスプリングの力より小さければ、キャップは外れてしまい、ペン先は乾燥する為、キャップは密閉の機能を果たす事は出来なくなる。よって、インナーキャップとスプリングが装着された直液式容器においてはスプリングの力を考慮した上で、安定した品質を保持する為にある程度強いキャップ嵌合力が必要になる。通常、例えば、スプリング3.9Nに対してキャップ嵌合値は6〜25Nの規格に設定してある。
【先行技術文献】
【特許文献】
【０００９】
【特許文献１】実開平５−６５５８３号公報
【００１０】
キャップは、本体に対する凹凸嵌合用の突部よりも開口側に、本体の後部に対する圧入嵌合用のリブを有し、また、本体は、後端突出させてなる尾栓をキャップの突部に対する当接部とする筆記具であり、キャップと筆記具本体との嵌合に際して、キャップが破損することを防止できるものである。
【００１１】
【特許文献２】実開平６−５７６８５号公報キャップ２０内面に形成された係合リブ２１が軸１０の外周に形成された段部１３に弾力的に当接して係合することにより、キャップ２０が軸１０に嵌合した状態が保持されるキャップ付の筆記具において、係合リブ２１の係合によりキャップ２０に過大な応力が生じず、またキャップ２０表面に変形が生じないようにするものであり、係合リブ２１を、キャップ２０内面から該内面に沿って伸びて可撓性を有するよう薄肉に設けられた可撓片２２の先端に形成し、可撓片２２とキャップ２０内面との間には、係合リブ２１が段部１３に係合する際の可撓片２２の変位を許す隙間２３を形成するものである。
【発明の概要】
【発明が解決しようとする課題】
【００１２】
本発明の課題は次のような従来技術の問題点を解決することである。即ち、樹脂材料に直接着色剤を混ぜて成形したキャップにおいては何の問題も無かったが、容器外観部に塗装や蒸着を実施したキャップにおいて、常温及び5℃の環境でキャップ嵌合時にキャップ自体が割れてしまうという問題が発生していた。
【００１３】
この理由は、図１０に示すように、キャップ装着時及び離脱時にキャップは嵌合代（リブ乗り上げ代）分広がるが、蒸着や塗装をしたキャップは外観部に塗料及びアルミの膜厚が形成されている為、その膜はある程度硬い事から、装着及び離脱時において、力の逃げ場が無く、塗料及びアルミの膜厚が剥がれたり、ひどい場合にはキャップが割れてしまうためである。
【００１４】
このように、従来製品の問題点は、キャップの外観部に転写フィルム加工、蒸着又は塗装を実施したキャップを装着、離脱した時に常温及び5℃の環境でキャップが割れたり、塗料及びアルミの膜厚が剥がれたりする不具合が生じていた。
【００１５】
よって、本発明の課題は、キャップ外観部に転写フィルム加工、蒸着又は塗装を実施したキャップを装着、離脱したキャップでも常温及び5℃の環境で頻繁な着脱でもキャップが割れない優れた塗布具を提供することである。
【課題を解決するための手段】
【００１６】
本発明は、このような従来の技術が有する問題点に着目してなされたもので、キャップのクラック(キャップ割れ)が生じ難い塗布具を提供することを目的としている。本発明は従来の問題を解決するため、
【００１７】
塗布具本体と、前記塗布具本体に着脱可能に嵌合するキャップとよりなる塗布具であって、
前記キャップが、底部に弾性部材と該弾性部材に付勢されたインナーキャップを内部に設けたキャップであり、
前記キャップが、キャップの外観部に転写フィルム加工、蒸着又は塗装を実施したキャップであり、
前記キャップが前記塗布具本体に嵌合される際、キャップ内面のキャップ嵌合リブが、前記塗布具本体の外周の中軸嵌合リブに当接しつつ摺動し、前記中軸嵌合リブを乗り越えて嵌合することにより、前記キャップが前記塗布具本体に嵌合した状態が保持されるキャップ付の塗布具において、
前記キャップ嵌合リブの形状が、軸方向断面の形状はなだらかな角のない凸状をしており、軸の垂直方向断面の形状は塗布具の中心軸を中心とする円弧で囲まれた扇の細長い扇面のような円弧状であり、
前記中軸嵌合リブが円周のリブで形成されており、
前記中軸嵌合リブの外周の円と前記キャップ嵌合リブの内周の円弧とは同心に形成されている塗布具を提供する。
【発明の効果】
【００１８】
本発明の塗布具によれば、キャップの嵌合の際にキャップ嵌合リブ２１が中軸嵌合リブ１３を乗越えるためにキャップは嵌合代分（リブ乗り上げ代分）、変位する。本発明の塗布具においては、図１、図２等に示すようにキャップ嵌合リブが円弧状の円弧形状端部を形成しているため、従来の直線状端部(図７)と比較して、キャップの変位(広がり量)は小さくなる(図１３、図１４、図１５)。
【００１９】
このため、キャップ２０にかかる応力が分散され、しかも嵌合代（リブ乗り上げ代）が小さいため、キャップ２０の外表面の変形もわずかである。したがって、キャップ２０を５℃の寒冷な環境下で脱着しても、キャップ２０は頻繁な脱着に耐えてクラック(キャップ割れ)等が生じないとともに、キャップ２０の表面の転写フィルム、塗装又は蒸着等が剥離することもない。
【００２０】
従って、本発明の塗布具によれば、キャップの嵌合によりキャップの広がり量を小さくでき且つキャップにかかる応力を分散でき(図１５)、キャップは頻繁な脱着に耐えてクラック(キャップ割れ)等が生じないとともに、キャップの表面の転写フィルム、塗料又は蒸着等が剥離することもない。したがって、塗布具のコスト低減が可能となるとともに、塗布具の美観を長期間良好に維持できる。
【００２１】
又、キャップ内にインナーキャップを備えたタイプの本発明の塗布具においては、キャップ２０が中軸１１の当接段部１２に当るまではめ込まれたときに、図９に示すように、インナーキャップ２２はスプリング２３によりその一端を中軸１１に当接してペン先を密閉すると同時に、キャップ２０はスプリング２３により離脱方向に強い力がかかり、キャップ嵌合力が小さいとキャップが脱離してしまうが、本発明の塗布具では 十分な嵌合力を発揮できるため、キャップが容易に離脱することはない。
【００２２】
この結果、キャップ嵌合値について、キャップ嵌合代を低くすれば、キャップ嵌合値が小さくなりキャップの機能を果たせなくなる事があるが、キャップの嵌合リブの形状を円弧状にする事により、中軸嵌合リブと係止する面積を大きくすることができ(図１５)、規格値内のキャップ嵌合値を実現することが可能となった。
【００２３】
即ち、従来の直線状のキャップ嵌合リブよりも本発明のキャップ嵌合リブ２１は、インナーキャップとスプリングが装着された直液式容器では特に好適に適用できる。
【００２４】
又、前記キャップの外観部に転写フィルム加工、蒸着又は塗装を実施したキャップである本発明の塗布具においては、外観部に塗料及びアルミニウムの膜厚が形成されている為、その膜はある程度硬い事から、装着及び離脱時において、力の逃げ場が無く、塗料及びアルミの膜厚が剥がれたり、キャップが割れてしまうことがあるが、本発明の塗布具においては嵌合代（リブ乗り上げ代）が小さいため、キャップ２０の外表面の変形もわずかである。したがって、キャップ２０を５℃の寒冷な環境下で脱着しても、キャップ２０は頻繁な脱着に耐えてクラック等が生じないとともに、キャップ２０の表面の転写フィルム、塗装又は蒸着等が剥離することがない。
【図面の簡単な説明】
【００２５】
【図１】本発明の一実施例の部品であるキャップを示す図面
【図２】本発明の一実施例の部品であるキャップと中軸との嵌合状態を示す図面
【図３】本発明の一実施例であるキャップを外した直液式の塗布具の図面
【図４】本発明の一実施例であるキャップ嵌合リブが中軸嵌合リブを乗り越える状態を示す図面
【図５】従来技術の塗布具の断面形状を説明する図面
【図６】従来技術の塗布具のキャップを外した直液式の塗布具の図面
【図７】従来技術の塗布具のキャップの図面
【図８】従来技術の塗布具の部品構成を示す図面
【図９】従来技術の塗布具のキャップの装着動作を説明する図面
【図１０】従来技術の塗布具のキャップは嵌合代分、広がることを示す図面
【図１１】従来技術の塗布具のキャップ嵌合リブが中軸の嵌合リブを乗り越えるときの応力を説明する図面
【図１２】従来キャップと本発明の一実施例のキャップの動作を説明する図面
【図１３】従来キャップと本発明の一実施例のキャップの嵌合代を比較した図面
【図１４】従来キャップと本発明の一実施例のキャップの外径の広がりを比較した図面
【図１５】従来キャップと本発明の一実施例のキャップの応力の掛かり方を比較した図面
【図１６】本発明の部品であるキャップの別の実施例を示す図面
【発明を実施するための形態】
【００２６】
以下、図面に基づき本発明の実施例を説明する。 本発明はこれらの実施例に限定されない。
【００２７】
本実施例の塗布具は、図１〜図４に示すように、塗布具本体１０の中軸１１と着脱可能に嵌合するキャップ２０とからなる。塗布具本体１０は、図３に示すように、先端側がキャップ２０と嵌合する細くなった中軸１１を有し、この中軸１１の基端にキャップ２０の端面が当接する軸方向に直角な当接段部１２を有するとともに、中軸１１の外周であって当接段部１２に近接する位置に中軸嵌合リブ１３を有する。中軸嵌合リブ１３は、中軸１１の周方向に全周にわたって環状に形成された形状となっている。キャップ２０は、図１２に示すように動作し、塗布具本体１０の中軸１１に嵌合することによりキャップ２０の着脱が行われる。
【００２８】
図１３〜図１６に示すように、キャップ２０は、前記中軸１１に僅かな隙間で嵌合する有底筒状の形状とされたもので、図１、図２、図４に示す如く開口側端部内面にアンダーカットとなったキャップ嵌合リブ２１を周方向の４か所に有するものである。本発明の実施例ではキャップ嵌合リブ２１は４個設けられているが、これに限定されず適宜の個数設けることができる。
【００２９】
図４に示すように、キャップ嵌合リブ２１は、キャップ２０が塗布具本体１０の当接段部１２に当接するまではめ込まれたときに、中軸嵌合リブ１３を乗越える位置に設けられている。
【００３０】
キャップ嵌合リブ２１の形状は、図４に示すように軸方向断面(Ｅ−Ｅ’)の形状がなだらかな角のない凸状をしており、又、軸の垂直方向断面(Ｆ−Ｆ’)の形状が、塗布具の中心軸を中心とする円弧で囲まれた扇の細長い扇面のような円弧状である。従って、図１に示すように端部は断面(Ｆ−Ｆ’)の形状が円弧状に形成されている。
【００３１】
ここで、円弧状とは、図１及び図２に示すように、キャップ嵌合リブ２１を輪切りにした時にその断面（Ｆ-Ｆ’）の形状が塗布具の中心軸を中心とする円弧で囲まれた扇の細長い扇面のような形状を意味する。又、軸方向断面(Ｅ−Ｅ’)の形状はなだらかな角のない凸状をしており、中軸嵌合リブ１３と嵌合できる形状となっている。
【００３２】
キャップ嵌合リブ２１はキャップ２０と一体に樹脂成型して形成することができる。これには銅電極の放電による高精度な金型加工技術を用いて高精度の金型加工により形成することができる。
【００３３】
キャップ２０やキャップ嵌合リブ２１の材質は通常のキャップ２０に使用される材料で特に限定されないが、好ましくはポリプロピレン等の合成樹脂が用いられる。
【００３４】
キャップ２０の表面は装飾的理由から、キャップ２０の成型材料に直接着色剤を含有させて成型したり、キャップ表面を蒸着や塗装により、アルミニウム膜や塗装膜でコートされていても良い。キャップの表面にアルミニウム膜や塗装膜でコートされるとキャップ割れし易いが、特に本発明の塗布具においては、キャップにかかる応力が分散されるので、アルミニウム膜や塗装膜でコートされている場合にも特に好適に使用することができる。
【００３５】
本発明の塗布具本体１０の中軸１１の外周には、図３に示すように中軸嵌合リブ１３が円周のリブで形成されている。
【００３６】
そして、図２に示すように、中軸嵌合リブ１３の外周の円と、キャップ嵌合リブ２１の内周の円弧とは、同心に形成されている。もし、同心から大きくずれているような場合には、キャップ２０の着脱が良好に行われず、キャップ割れの原因にもなる。
【００３７】
以上のキャップ嵌合リブ２１によって、本発明の塗布具では、図２、図３に示すように、キャップ２０の着脱時に、前記円弧状のキャップ嵌合リブ２１が前記中軸嵌合リブ１３にキャップ嵌合リブ２１の円弧形状端部を周方向全長で当接しつつ摺動し、前記中軸嵌合リブ１３を乗越えてキャップ２０の着脱をする。
【００３８】
本発明の塗布具では、前記の円弧状のキャップ嵌合リブ２１をキャップ２０側に設けたので、キャップ２０装着時及びキャップ２０離脱時において、図１４に示すように、キャップ２０の広がり量が従来技術の0.36ｍｍであったのに対して、 本発明では 0.21ｍｍに抑える事ができる。
【００３９】
又、図１５に示すようにキャップ２０装着時及びキャップ２０離脱時のキャップ２０に掛かる応力についても分散できる。
【００４０】
更に、従来の塗布具ではキャップ嵌合代を低くすれば、キャップ嵌合値が低くなりキャップの機能を果たせなくなるのであるが、本発明の塗布具では、図１５に示すように、キャップ嵌合リブ２１の形状を円弧状にする事により、塗布具本体１０の中軸嵌合リブ１３をホールドする範囲を広く取ることができるので規格値(６〜２５Ｎ)内の大きなキャップ嵌合値を実現できる。本発明の実施例ではキャップ嵌合値はプッシュプルゲージを用いて測定した。
【００４１】
又、塗布具のキャップ２０が、キャップ２０の内部にインナーキャップ２２、スプリング２３を装着した直液式の塗布具である場合には、図９に示すように、インナーキャップ２２はスプリング２３によりその一端を中軸１１に当接してペン先を密閉すると同時に、キャップ２０はスプリング２３により離脱方向に力がかかるが、キャップ嵌合リブ２１が中軸嵌合リブ１３と嵌合してキャップ２０の離脱を防いでいる。
【００４２】
よって、インナーキャップ２２とスプリング２３が装着された直液式容器においてはスプリング２３の力を考慮した上で、ある程度強いキャップ嵌合力が必要になる（スプリング 3.9N に対してキャップ嵌合値は 6〜25N の規格に設定される）。
【００４３】
従って、従来の直線状のリブよりも本発明のキャップ嵌合リブ２１は大きなキャップ嵌合値を実現できるので、インナーキャップ２２とスプリング２３が装着された直液式容器では特に好適に適用できる。本実施例ではスプリング２３が使用されたが、インナーキャップ２２を付勢する部材であればこれに限定されるものではなく、他の弾性部材も使用できる。
【００４４】
以下に、本発明の塗布具の試験結果を従来技術の塗布具と比較して記載する。用いた塗布具は図１３、図１４及び図１５に記載のキャップ嵌合代及びキャップ広がり量を示す本発明及び従来技術の塗布具である。即ち、
本発明の塗布具は、キャップ嵌合リブ２１が円弧状である（キャップ２０の嵌合代０．１０５ｍｍ、キャップ２０の広がり量０．２１ｍｍ）。
従来技術の塗布具は、キャップ嵌合リブが直線状である（キャップ２０の嵌合代０．１８０ｍｍ、キャップ２０の広がり量０．３６ｍｍ）。
【００４５】
まず常温26℃の環境下で、蒸着及び塗装を実施したキャップ２０を中軸１１に５回離脱、装着を繰り返し、キャップに割れが発生するか否かを確認した。その結果を実施例１、２として次に記載する。
【実施例１】
【００４６】
（テスト条件）
塗装（膜厚15〜21μｍ）を実施したキャップ２０に、中軸にキャップ２０を装着した状態から、５回離脱、装着を繰り返しキャップ割れが発生するか確認した。常温26℃の環境下実施した。
（テスト結果）
従来技術の塗布具  20本中、3本割れ発生
本発明の塗布具    20本中、割れ無し
【実施例２】
【００４７】
（テスト条件）
蒸着（膜厚20〜24μｍ）を実施したキャップ２０に、中軸１１にキャップ２０を装着した状態から、５回離脱、装着を繰り返しキャップ割れが発生するか確認した。常温26℃の環境下実施した。
（テスト結果）
従来技術の塗布具  20本中、１本割れ発生
本発明の塗布具    20本中、割れ無し
【００４８】
次に、冷蔵庫5℃からすぐに取り出して試験を実施した。他の条件は前記実施例1、２と同じである。その結果を実施例３、４として次に記載する。
【実施例３】
【００４９】
（テスト条件）
塗装（膜厚15〜21μｍ）を実施したキャップ２０に、中軸１１にキャップ２０を装着した状態から、５回離脱、装着を繰り返しキャップ割れが発生するか確認した。冷蔵庫5℃からすぐに取り出して試験実施。
（テスト結果）
従来技術の塗布具  20本中、14本割れ発生
本発明の塗布具    20本中、割れ無し
【実施例４】
【００５０】
（テスト条件）
蒸着（膜厚20〜24μｍ）を実施したキャップに、中軸にキャップを装着した状態から、５回離脱、装着を繰り返しキャップ割れが発生するか確認した。冷蔵庫5℃からすぐに取り出して試験実施。
従来技術の塗布具  20本中、2本割れ発生
本発明の塗布具    20本中、割れ無し
【００５１】
以上、実施例１から４では、常温26℃の環境下又は、冷蔵庫5℃からすぐに取り出して試験実施環境下の両方で本発明の塗布具においてキャップ割れの発生は皆無であった。
【００５２】
又、以下に耐久試験も実施した。その結果を実施例５として記載する。
【実施例５】
【００５３】
本発明の塗布具において、常温26℃の環境下で1000回嵌合を繰り返してもキャップ割れの発生は皆無であった。
又、キャップ嵌合値についても規格内であることを確認し、耐久性の良いキャップ２０の機能を果たす事を実現した。
【００５４】
更に蒸着膜や塗装膜の膜厚が厚いキャップについても５℃の環境下で割れない事を確認した。以下にその試験結果を実施例６として次に記載する。
【実施例６】
【００５５】
（テスト条件）
塗装品（膜厚18〜26μｍ）及び蒸着品（膜厚30〜36μｍ）を実施したキャップ２０に、中軸１１にキャップ２０を装着した状態から、５回離脱、装着を繰り返しキャップ割れが発生するか確認した。冷蔵庫5℃からすぐに取り出して試験を実施した。
（テスト結果）
塗装品（膜厚18〜26μｍ）（本発明）    20本中、割れ無し
蒸着品（膜厚30〜36μｍ）（本発明）    20本中、割れ無し
【００５６】
本発明は、以上に述べた実施例に限定されず、各種の変形があり得ることはいうまでもない。即ち、
【００５７】
中軸嵌合リブ１３は塗布具本体１０の中軸１１の全周に亘って形成されているが、部分的に僅かに欠けていてもキャップ嵌合リブ２１と嵌合しうる限りは本発明の範囲に含まれる。
【００５８】
又、図１６に示すように、キャップ２０、後軸の外観形状、J-J断面図のキャップ２０の断面形状（嵌合リブ形状を含む）、中軸１１の形状（中軸嵌合リブ１３の形状を含む）の全てがどのような形状をしていても、又、また、本発明はK-Kの断面図において、円弧のキャップ嵌合リブ２１の長さ、円弧のキャップ嵌合リブ２１の数は限定されず、本発明の範囲に含まれる。
【符号の説明】
【００５９】
１０  塗布具本体
１１  中軸
１２  当接段部
１３  中軸嵌合リブ
２０  キャップ
２１  キャップ嵌合リブ
２１ａ円弧形状端部
２２  インナーキャップ
２３  スプリング